(57)【要約】【課題】高帯域及び低反射ロスの機能を得ることができるデジタル放送アンテナ構造を提供する。【解決手段】デジタル放送アンテナ構造は、第１の表面１１及び第２の表面を有する基板１と、基板１の第１の表面１１上に設けたメインアンテナ２と、基板１の第１の表面１１上に設けられ、メインアンテナ２と電気的に接続された増幅器３と、基板１の第２の表面上に設けられ、メインアンテナ２と電気的に接続された補償ユニットと、基板１の第２の表面上に設けられ、補償ユニットと電気的に接続された帯域調整ユニットと、基板１の第２の表面上に設けられ、帯域調整ユニットと電気的に接続された接地部とを備える。【選択図】図１
0003159902.tif 000002
【実用新案登録請求の範囲】
【請求項１】
第１の表面及び第２の表面を有する基板と、
前記基板の前記第１の表面上に設けたメインアンテナと、
前記基板の前記第１の表面上に設けられ、前記メインアンテナと電気的に接続された増幅器と、
前記基板の前記第２の表面上に設けられ、前記メインアンテナと電気的に接続された補償ユニットと、
前記基板の前記第２の表面上に設けられ、前記補償ユニットと電気的に接続された帯域調整ユニットと、
前記基板の前記第２の表面上に設けられ、前記帯域調整ユニットと電気的に接続された接地部と、を備えることを特徴とするデジタル放送アンテナ構造。
【請求項２】
前記メインアンテナは、横向きの導通部により互いに接続された多数の三角部を有することを特徴とする請求項１に記載のデジタル放送アンテナ構造。
【請求項３】
前記補償ユニットは、前記メインアンテナと接続された接続部と、前記接続部と接続された補償部と、を有し、
前記補償部は、前記メインアンテナと重ねられていないことを特徴とする請求項１に記載のデジタル放送アンテナ構造。
【請求項４】
前記帯域調整ユニットは、互いに交互に配置された第１の長尺部及び第２の長尺部をそれぞれ有し、
前記第１の長尺部は、前記補償ユニットと接続され、
前記第２の長尺部は、前記接地部と接続されていることを特徴とする請求項１に記載のデジタル放送アンテナ構造。
【考案の詳細な説明】
【技術分野】
【０００１】
本考案は、デジタル放送信号を受信する指向性が制限されず、低帯域、中帯域及び高帯域に適用することができる上、小型化、高帯域及び低反射ロスの機能を得ることができるデジタル放送アンテナ構造に関する。
【背景技術】
【０００２】
一般に、デジタルオーディオ放送（ｄｉｇｉｔａｌ  ａｕｄｉｏ  ｂｒｏａｄｃａｓｔｉｎｇ）の放送技術は、従来のＡＭ及びＦＭの放送技術と異なり、マルチメディア装置に接続したアンテナにより、衛星又は地上の送信所から送信されたデジタル信号を受信するため、従来の放送技術で発生していた音質の低下、周波数信号の干渉、及び送信電力による放送品質の低下を防ぐことができる。
【０００３】
デジタルオーディオ放送は、従来の放送技術の欠点を改善することができるが、一般のデジタル放送アンテナは、体積が大きい上、デジタル信号を受信する指向性が制限されるため、受信品質が悪くなったり、帯域不足が生じたり、反射ロスが大きくなったりする問題があった。
【０００４】
そのため、高帯域及び低反射ロスの機能を得ることができるデジタル放送アンテナ構造が求められていた。
【考案の概要】
【考案が解決しようとする課題】
【０００５】
本考案の目的は、高帯域及び低反射ロスの機能を得ることができるデジタル放送アンテナ構造を提供することにある。
【課題を解決するための手段】
【０００６】
上記課題を解決するために、本考案の第１の形態によれば、第１の表面及び第２の表面を有する基板と、前記基板の前記第１の表面上に設けたメインアンテナと、前記基板の前記第１の表面上に設けられ、前記メインアンテナと電気的に接続された増幅器と、前記基板の前記第２の表面上に設けられ、前記メインアンテナと電気的に接続された補償ユニットと、前記基板の前記第２の表面上に設けられ、前記補償ユニットと電気的に接続された帯域調整ユニットと、前記基板の前記第２の表面上に設けられ、前記帯域調整ユニットと電気的に接続された接地部と、を備えることを特徴とするデジタル放送アンテナ構造が提供される。
【０００７】
また、前記メインアンテナは、横向きの導通部により互いに接続された多数の三角部を有することが好ましい。
【０００８】
また、前記補償ユニットは、前記メインアンテナと接続された接続部と、前記接続部と接続された補償部と、を有し、前記補償部は、前記メインアンテナと重ねられていないことが好ましい。
【０００９】
また、前記帯域調整ユニットは、互いに交互に配置された第１の長尺部及び第２の長尺部をそれぞれ有し、前記第１の長尺部は、前記補償ユニットと接続され、前記第２の長尺部は、前記接地部と接続されていることが好ましい。
【考案の効果】
【００１０】
本考案のデジタル放送アンテナ構造は、高帯域及び低反射ロスの機能を得ることができる。
【図面の簡単な説明】
【００１１】
【図１】本考案の一実施形態による基板の第１の表面を示す模式図である。
【図２】本考案の一実施形態による基板の第２の表面を示す模式図である。
【図３】本考案の一実施形態によるデジタル放送アンテナ構造の特性を示すグラフである。
【考案を実施するための形態】
【００１２】
以下、本考案の実施形態について図に基づいて説明する。なお、これによって本考案が限定されるものではない。
【００１３】
図１及び図２を参照する。図１及び図２に示すように、本考案の一実施形態によるデジタル放送アンテナ構造は、基板１、メインアンテナ２、増幅器３、補償ユニット４、帯域調整ユニット５及び接地部６を含む。
【００１４】
上述の基板１は、第１の表面１１及び第２の表面１２を含む。
【００１５】
メインアンテナ２は、基板１の第１の表面１１上に設けられ、多数の三角部２１を有する。本実施形態のデジタル放送アンテナ構造は、各三角部２１が横向きの導通部２２により互いに接続されているため、指向性が制限されない。
【００１６】
増幅器３は、基板１の第１の表面１１上に設けられ、メインアンテナ２と電気的に接続されている。増幅器３は、メインアンテナ２が信号を受信するときの安定度を高め、ゲイン（ｇａｉｎ）値を増加させるために用いる。
【００１７】
補償ユニット４は、基板１の第２の表面１２上に設けられ、メインアンテナ２と電気的に接続されている。補償ユニット４は、メインアンテナ２と接続した接続部４１と、接続部４１と接続した補償部４２と、を有する。メインアンテナ２は、基板１に貫設され、接続部４１と電気的に接続されている。接続部４１は、下向きに延伸して帯域を増加してから上向きに延伸して補償部４２と接続されているため、反射ロス（ｒｅｔｕｒｎ  ｌｏｓｓ）を減少させることができる。また、補償部４２は、メインアンテナ２と重ねられていないため、メインアンテナ２が受信する信号が補償部４２により干渉されることを防ぐことができる。また、メインアンテナ２と重ねられていないため、補償部４２には、なるべく大きい面積で銅箔を設置することができる。本実施形態の補償部４２は、三角状であるメインアンテナ２に対応するように、Ｖ字状に形成する。
【００１８】
帯域調整ユニット５は、基板１の第２の表面１２上に設け、補償ユニット４と電気的に接続されている。帯域調整ユニット５は、本実施形態の帯域の大きさを調整するために用い、互いに交互に配置された第１の長尺部５１及び第２の長尺部５２をそれぞれ有する。第１の長尺部５１は、補償ユニット４と接続されている。
【００１９】
接地部６は、基板１の第２の表面１２上に設けられ、帯域調整ユニット５の第２の長尺部５２と電気的に接続されている。
【００２０】
本実施形態のデジタル放送アンテナ構造は、実際に使用する際、マルチメディア受信装置と接続し、メインアンテナ２によりデジタル信号を受信するために用いる。本実施形態のデジタル放送アンテナ構造は、基板１、増幅器３、補償ユニット４、帯域調整ユニット５及び接地部６を含み、小型化することができる。メインアンテナ２は、デジタル信号を受信するために用いる。増幅器３は、デジタル信号を増幅するために用いる。メインアンテナ２がデジタル信号を受信すると、補償ユニット４、帯域調整ユニット５及び接地部６により、デジタル信号の抵抗を変化させ、メインアンテナ２の接地部６に対するキャパシタンス効果（ｃａｐａｃｉｔａｎｃｅ  ｅｆｆｅｃｔ）及びトポロジカル効果（ｔｏｐｏｌｏｇｉｃａｌ  ｅｆｆｅｃｔ）により、高帯域及び低反射ロスの機能を得る。図３に示すように、本実施形態のデジタル放送アンテナ構造の反射ロスをネットワークアナライザーにより測定した結果から分かるように、本実施形態のアンテナの反射ロスＡは、従来のアンテナの反射ロスＢより小さい。そのため、本実施形態のメインアンテナ２がデジタル信号を受信する際の指向性が制限されず、低帯域、中帯域及び高帯域に適用することができる。低帯域に適用する場合、メインアンテナ２は長く、高帯域に適用する場合、メインアンテナ２は短い。
【００２１】
本考案のデジタル放送アンテナ構造は、デジタル放送信号を受信する指向性が制限されず、低帯域、中帯域及び高帯域に適用することができる上、小型化、高帯域及び低反射ロスの機能を得ることができる。
【００２２】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２３】
１  基板
２  メインアンテナ
３  増幅器
４  補償ユニット
５  帯域調整ユニット
６  接地部
１１  第１の表面
１２  第２の表面
２１  三角部
２２  導通部
４１  接続部
４２  補償部
５１  第１の長尺部
５２  第２の長尺部
【図１】
0003159902.tif 000003
【図２】
0003159902.tif 000004
【図３】
0003159902.tif 000005